(57)【要約】【課題】  効率の良い殺菌が可能なエレベータ装置を提供することを目的とする。【解決手段】   本発明は、エレベータかご内の換気を行う換気装置を備えたエレベータにおいて、エレベータかごにはイオン発生装置を設け、換気装置とイオン発生装置とを連動させるものである。運転方法に関しては、複数の運転モードを備え、乗客検出装置によりかご内乗客の有無を判断し、乗客が存在する場合はかご内温度検出装置により検出された温度により適切な運転モードを選択し、乗客が存在しない場合は一定時間経過毎に運転モードを適切に切換え又はかご内イオン検出装置により検出されたかご内イオン濃度により運転モード切換える方式を備える。【選択図】        図１
2005089171.tif 000002
【特許請求の範囲】
【請求項１】
エレベータかご内の換気を行う換気装置を備えたエレベータにおいて、
前記換気装置の出口近傍にプラスイオンとマイナスイオンの一方または両方を発生するイオン発生装置を設け、前記換気装置と前記イオン発生装置とを連動させて運転することを特徴とするイオン発生装置付きエレベータ。
【請求項２】
エレベータかご内の換気を行う換気装置を備えたエレベータにおいて、
前記換気装置の出口近傍にプラスイオンとマイナスイオンの一方または両方を発生するイオン発生装置を設け、前記エレベータの運転状態に応じて前記換気装置と前記イオン発生装置との運転を連動させることを特徴とするイオン発生装置付きエレベータ。
【請求項３】
前記換気装置と前記イオン発生装置との運転モードを少なくとも２種類備えたことを特徴とする請求項１又は請求項２に記載のイオン発生装置付きエレベータ。
【請求項４】
エレベータかご内の換気を行う換気装置と乗客の有無を検出する乗客検出装置を備えたエレベータにおいて、
前記換気装置の出口近傍にプラスイオンとマイナスイオンの一方又は両方を発生するイオン発生装置を設け、前記換気装置と前記イオン発生装置との運転モードを複数備え、前記乗客検出装置によりかご内等に乗客がいない場合に、その時の運転モードに応じて第１の所定時間Ｔ１及び第２の所定時間Ｔ２をカウントするタイマーを備え、前記第１の所定時間Ｔ１或いは前記第２の所定時間Ｔ２毎に前記換気装置と前記イオン発生装置の運転モードを選択することを特徴とするイオン発生装置付きエレベータ。
【請求項５】
前記第１の所定時間Ｔ１と前記第２の所定時間Ｔ２とは異なる時間であることを特徴とする請求項４に記載のイオン発生装置付きエレベータ。
【請求項６】
前記第１の所定時間Ｔ１と前記第２の所定時間Ｔ２とは同じ時間であることを特徴とする請求項４に記載のイオン発生装置付きエレベータ。
【請求項７】
エレベータかご内の換気を行う換気装置と乗客の有無を検出する乗客検出装置を備えたエレベータにおいて、
前記換気装置の出口近傍にプラスイオンとマイナスイオンの一方または両方を発生するイオン発生装置を設け、前記換気装置と前記イオン発生装置との運転モードを複数備え、前記乗客検出装置によりかご内等に乗客がいないと判断された場合に、一定時間が経過する毎に前記換気装置と前記イオン発生装置の運転モードを切換えることを特徴とするイオン発生装置付きエレベータ。
【請求項８】
エレベータかご内の換気を行う換気装置と乗客の有無を検出する乗客検出装置を備えたエレベータにおいて、
さらに温度検出装置と、前記換気装置の出口近傍にプラスイオンとマイナスイオンの一方または両方を発生するイオン発生装置を設け、前記換気装置と前記イオン発生装置との運転モードを複数備え、前記乗客検出装置によりかご内等に乗客がいると判断された場合に、前記温度検出装置による温度に応じて前記換気装置と前記イオン発生装置の運転モードを選択することを特徴とするイオン発生装置付きエレベータ。
【請求項９】
エレベータかご内の換気を行う換気装置と乗客の有無を検出する乗客検出装置を備えたエレベータにおいて、
前記換気装置の出口近傍にプラスイオンとマイナスイオンの一方または両方を発生するイオン発生装置と、かご内のイオン検出装置とを設け、前記換気装置と前記イオン発生装置との運転モードを複数備え、前記乗客検出装置によりかご内等に乗客がいないと判断された場合に、前記イオン検出装置によるかご内イオン濃度に応じて前記換気装置と前記イオン発生装置の運転モードを選択することを特徴とするイオン発生装置付きエレベータ。
【請求項１０】
前記換気装置の代わりに空調装置を備えたことを特徴とする請求項１乃至請求項９に記載のイオン発生装置付きエレベータ。
【発明の詳細な説明】
【技術分野】
【０００１】
本発明は、イオン発生装置が備えられたエレベータに関するものである。
【背景技術】
【０００２】
従来から、エレベータにはファンなどの換気装置が備えられており、エレベータかご内の換気には特に気を配られている。
【特許文献１】実開昭６０−２６４８２号即ち、図９に示すように、エレベータかご１に換気装置７を構成するファン２と温度検出装置３と乗客検出装置４を設け、このファン２を温度検出装置３と乗客検出装置４から得られる情報に基づき速度制御回路５により回転制御するものである。そして、６は電源回路である。つまり、エレベータかご１内の状況、温度や乗客の込み具合に応じて、換気装置７の風量や強さを加減するものである。
【０００３】
また、近年、人体に有害な空気中の浮遊細菌や、いやな臭いを取り除いて、快適な生活を望む傾向にあり、それを実現する従来技術として特許文献２〜３に示すような技術が開示されている。
特許文献２は、プラスイオンとマイナスイオンを発生させて、化学反応によって生じる除菌の効果をもたせている。
特許文献３は、プラスイオンとマイナスイオンを発生させて、臭い分子及び有害分子に作用して無臭化および無害化する効果をもたせている。
【特許文献２】特開２００２−９５７３１号公報
【特許文献３】特開２００３−１２３９４０号公報
【発明の開示】
【発明が解決しようとする課題】
【０００４】
しかし、最近になり様々な感染症が知られるに至り、エレベータのような不特定多数の人が集まる場所でのウイルスやカビ菌等の感染を極力防止することが求められるようになってきている。特に、病院向けのエレベータ等では院内感染の防止にも配慮することが必要とされてきている社会の趨勢がある。又、アレルギー疾患の原因となるアレルゲン（ダニの死骸や糞など）対策も考慮されなければならない。
【課題を解決するための手段】
【０００５】
上記目的を達成するために、本発明は、
1.エレベータかご内の換気を行う換気装置を備えたエレベータにおいて、
前記換気装置の出口近傍にプラスイオンとマイナスイオンの一方または両方を発生するイオン発生装置を設け、前記換気装置と前記イオン発生装置との運転を連動させることを特徴とするイオン発生装置付きエレベータを提供するものである。上記構成によると、イオン発生装置より発生したプラスイオンとマイナスイオンをエレベータのかご内に放出することで殺菌効果が得られる。
2.エレベータかご内の換気を行う換気装置を備えたエレベータにおいて、
前記換気装置の出口近傍にプラスイオンとマイナスイオンの一方または両方を発生するイオン発生装置を設け、前記エレベータの運転状態に応じて前記換気装置と前記イオン発生装置との運転を連動させることで、換気効果と殺菌効果がえられる。
3.エレベータかご内の換気を行う換気装置と乗客の有無を検出する乗客検出装置を備えたエレベータにおいて、
前記換気装置の出口近傍にプラスイオンとマイナスイオンの一方または両
方を発生するイオン発生装置を設け、前記換気装置と前記イオン発生装置との
運転モードを複数備え、前記乗客検出装置によりかご内等に乗客がいると判断
された場合に、その時の運転モードに応じて所定時間Ｔ１、Ｔ２毎に前記換気
装置と前記イオン発生装置の運転モードを選択する。この場合にＴ１とＴ２は
異なる時間であってもよいし同じ時間であってもよい。
4.エレベータかご内の換気を行う換気装置と乗客の有無を検出する乗客検出装置を備えたエレベータにおいて、
前記換気装置の出口近傍にプラスイオンとマイナスイオンの一方または両方を発生するイオン発生装置を設け、前記換気装置と前記イオン発生装置との運転モードを複数備え、前記乗客検出装置によりかご内等に乗客がいないと判断された場合に、所定時間が経過する毎に前記換気装置と前記イオン発生装置の運転モードを切換えることで、殺菌効果を得ながら省エネ運転ができる。
5.エレベータかご内の換気を行う換気装置と乗客の有無を検出する乗客検出装置を備えたエレベータにおいて、
さらに、温度検出装置と、前記換気装置の出口近傍にプラスイオンとマイナスイオンの一方または両方を発生するイオン発生装置を設け、前記換気装置と前記イオン発生装置との運転モードを複数備え、前記乗客検出装置によりかご内等に乗客がいると判断された場合に、前記温度検出装置による温度に応じて前記換気装置と前記イオン発生装置の運転モードを選択することが出来、除菌効果を得ながら快適空間が創出される。
6.エレベータかご内の換気を行う換気装置と乗客の有無を検出する乗客検出装置を備えたエレベータにおいて、
前記換気装置の出口近傍にプラスイオンとマイナスイオンの一方または両方を発生するイオン発生装置と、かご内のイオン検出装置とを設け、前記換気装置と前記イオン発生装置との運転モードを複数備え、前記乗客検出装置によりかご内等に乗客がいないと判断された場合に、前記イオン検出装置によるかご内イオン濃度に応じて前記換気装置と前記イオン発生装置の運転モードを選択することが出来、イオン濃度に応じて運転モードを変えることで最良な殺菌効果が得られる。
ものである。
【発明の効果】
【０００６】
本発明は、換気装置とイオン発生装置とが連動して働くため、非常に効率良く殺菌できるものである。また特に、周囲の環境やエレベータの運転動作と密接に関連付けながら動作するので、利用者に対して不便をかけたり不快感を与えることもない。
【発明を実施するための最良の形態】
【０００７】
本発明は、エレベータの運転状態に応じて、換気装置とイオン発生装置とを効率よく連動させて殺菌効果を高めるものである。
【実施例１】
【０００８】
以下、本発明の実施例について、図面を用いて説明する。図１は本発明の一実施例を示す全体構成斜視図、図２は図１のＡ−Ａ矢視図、図３はイオン発生装置のイオン発生素子の取付側から見た外観斜視図、図４は図３の拡大断面図、図５は本発明に係る装置の動作の一例を示すフローチャート図、図６は図５における運転モードの区分を表で示した図、図７は図５におけるＰ部の動作フローを示した図である。
【０００９】
図中、図９と同一符号のものは同一のものを示すが、１０は本発明に係るイオン発生装置で、例えばエレベータかご１内にイオン発生装置１０よりプラスイオンとマイナスイオンの一方または両方を放出するイオン発生装置である。このイオン発生装置１０は換気装置７の吹出口７ａ付近に配置され、イオン発生装置１０より放出されるプラスイオンとマイナスイオンにより空気中に浮遊するカビや菌を不活化し、その増殖を抑制することができる。１１は本発明に係る乗客検出装置で、例えばかご内の呼び或いは乗場呼びも含めて呼びがなければ、かご内等に乗客はいないと判断するものである。もちろん、従来からの荷重検出装置４その他を利用するようにしてもよい。
【００１０】
エレベータかご１内の換気装置に設けたイオン発生装置１０は、図３に示すように、昇圧コイル、回路基板などを内蔵するケース１８と、その開口を覆う蓋板１９と、蓋板１９の表面側に配設されたイオン発生素子２０とから構成される。
イオン発生素子２０は、図４に示すように、セラミックなどの平板状の誘電体２１の表面に設けられた表面電極２２と、該表面電極に電力を供給するため誘電体２１の表面に設けられる表面電極接点２３と、誘電体２１の内部に埋設され、かつ前記表面電極２２と平行にもうけられた内部電極２４と、該内部電極２４に電力を供給するため誘電体２１の表面に設けられる内部電極接点２５とを有している。誘電体２１は、上部誘電体２１ａ、下部誘電体２１ｂ、表面保護誘電体２１ｃにより構成される。
【００１１】
このイオン発生素子２０の表面電極、内部電極間に交流電圧を印加すると、空気中の酸素ないしは水分が電離によりエネルギーを受けてイオン化し、プラスイオンであるＨ+(Ｈ2Ｏ)m（ｍは任意の自然数）とマイナスイオンであるＯ2-(Ｈ2Ｏ)n（ｎは任意の自然数）を主体としたイオンを生成し、これらをファン等により空間に放出させる。
これらＨ+(Ｈ2Ｏ)m及びＯ2-(Ｈ2Ｏ)nは、空気中に浮遊する浮遊細菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００１２】
プラスイオンおよびマイナスイオンは浮遊細菌の細胞表面で式（１）〜式（３）に示すように化学反応して、活性種である過酸化水素（Ｈ2Ｏ2）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を不活化、除去することができる。
Ｈ+(Ｈ2Ｏ)m＋Ｏ2-(Ｈ2Ｏ)n→・ＯＨ＋１/２Ｏ2＋(m+n)Ｈ2Ｏ ・・・（１）
Ｈ+(Ｈ2Ｏ)m＋Ｈ+(Ｈ2Ｏ)m'＋Ｏ2-(Ｈ2Ｏ)n＋Ｏ2-(Ｈ2Ｏ)n' → ２・ＯＨ＋Ｏ2＋(m+m'+n+n')Ｈ2Ｏ ・・・（２）
Ｈ+(Ｈ2Ｏ)m＋Ｈ+(Ｈ2Ｏ)m'＋Ｏ2-(Ｈ2Ｏ)n＋Ｏ2-(Ｈ2Ｏ)n' → Ｈ2Ｏ2＋Ｏ2＋(m+m'+n+n')Ｈ2Ｏ ・・・（３）
以上のメカニズムにより、上記プラスイオンおよびマイナスイオンの放出により、浮遊菌等の不活化効果を得ることができる。
【００１３】
また、上記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化若しくは分解して、ホルムアルデヒドやアンモニアなどの化学物質を、二酸化炭素や、水、窒素などの無害な物質に変換することにより、実質的に無害化することが可能である。
【００１４】
なお、本発明者らの実験によると、イオン発生装置１０に交流インパルス電圧を印加すれば、イオン発生素子２０の表面電極側よりプラスイオンおよびマイナスイオンを発生させ［ピーク  トウ  ピーク３．５ｋＶ、波形周期１６５Ｈｚの印加条件、イオン吹出し口前方１０ｃｍ付近で、（株）ダン化学製空気イオンカウンター（型番８３−１００１Ｂ）を用い、移動度１ｃｍ2／ｓｅｃ以上の小イオンを検出するもので測定すると、プラスイオンおよびマイナスイオンがそれぞれ約１０万個／ｃｃ以上、プラスイオンおよびマイナスイオンを機器本体外に送り出することができる。そして、これらのプラスイオンおよびマイナスイオンの作用により空気中のカビや菌を不活化し、その増殖を抑制することができる。
【００１５】
その他、プラスイオンとマイナスイオンには、コクサッキーウィルス、ポリオウィルス、などのウィルス類も不活化する働きがあり、これらウィルスの混入による汚染が防止できる。また、プラスイオンおよびマイナスイオンには、臭いの元となる分子を分解する働きがあることも確かめられており、空間の脱臭にも利用できる。また、イオン発生装置１０は、制御部（図示略）を備えており、該制御部からの制御信号によりイオン発生素子２０の電極間に印加する電位を可変できるようになっており、これにより、イオン発生素子２０から発生するプラスイオンとマイナスイオンを略同量あるいはマイナスイオンを多く発生する方向にシフトできるようになっている。
【００１６】
ここで、本発明に係る、換気装置７とイオン発生装置１０を連動させて動作させる運転方法の一例について説明する。
【００１７】
図５は、運転フローを示したものである。省エネを徹底するか乗客の快適性を重視するか、或いは両方の調和を重視するか、により運転方法は使い分ける必要がある。実際には顧客の要望に応えた形にすることが望ましく、運転方法をカスタマイズする必要があるものと考えられるが、ここでは一例として２種類の運転モードに分けた場合について説明する。図５のフローの中にある運転モード１及び運転モード２の区分方法は図６に示す。即ち、換気装置７及びイオン発生装置１０を連動させて運転又は停止する運転区分方法Ａによれば、運転モード１は運転、運転モード２は停止である。これは省エネを重視した場合の区分方法である。また、イオン発生装置１０を常時作動させておき換気装置７を強風又は弱風とする運転区分方法Ｂによれば、運転モード１は強風運転、運転モード２は弱風運転である。これは省エネよりも乗客の快適性を重視した場合の区分方法である。先ず初期状態として運転モード１に設定する。その後、後述するＰ部を通じてステップ１に進む。ステップ１において乗客検出装置１１によりかご内等に乗客がいるかどうかを判断する。乗客が存在する場合はステップ２で、温度検出装置３によりかご内温度が所定値以上かどうかを判断し、所定値以上ならば前記換気装置７及び前記イオン発生装置１０を連動させて運転モード１を選択し、所定値未満ならば運転モード２を選択する。同時に、運転モード１ならば例えばかご内ＬＥＤ表示（他の表示手段であってもよい。以下同様）に「換気運転中」又は「強風運転中」などの表示を、運転モード２ならばかご内ＬＥＤ表示に「換気停止中」又は「弱風運転中」などの表示を行う。そしてフローにおいてＰ部の直後に戻る。こうすることにより、かご内の乗客に温度環境の設定状況を知らしめ快適空間を創出することにより、より行き届いたサービスを提供することができる。
【００１８】
なお、前記ステップ２でかご内温度を判断しているが、かご内の温度に限らず気温などの周囲の環境を遠隔監視により判断し、遠隔操作により運転モード１又は運転モード２の選択を行ってもよい。
【００１９】
一方、ステップ１で乗客検出装置１１により乗客が存在しないと判断された場合は、フローはＢ部に進む。Ｂ部では、所定時間毎に運転モードを切換えるようにし、乗客が存在しない場合には極力換気装置を停止する省エネ運転を図るようにする。即ち、先ずステップ３で換気装置７及びイオン発生装置１０を連動させて行っている現在の運転モードを判断し、それが運転モード２（モード１ではない）ならばステップ４に進む。ステップ４では所定時間Ｔ１が経過したかどうかを判断し、所定時間Ｔ１が経過している場合は運転モード１に切り換え、所定時間Ｔ１が経過していない場合は初期状態設定直後のフローに戻る。また、ステップ３で運転モードが運転モード１の場合は、ステップ５に進み所定時間Ｔ２が経過したかどうかを判断し、所定時間Ｔ２が経過している場合は運転モード２に切り換えてから初期状態設定直後に戻るが、所定時間Ｔ２が経過していない場合はそのまま初期状態設定直後のフローに戻る。以後、このフローを繰り返すことで所定時間毎に運転モードが切換わることになる。ここで、所定時間Ｔ１、Ｔ２を同じ時間に設定したり異なる時間に設定したりすることにより幅の広い運転が可能である。所定時間Ｔ１とＴ２を同じにすれば一定時間毎に運転モードが切換わるようにできる。また、埃センサーや臭いセンサーを設け、かご内の埃や臭いを埃センサー、臭いセンサーで検出し、両センサーで検出された値がいずれも所定の値以下の時には、マイナスイオンを発生させるべくイオン発生素子の電極間に負側にふれる電位を電圧を印加する。このようにすることにより空間にマイナスイオンが放出され、リラクゼーション効果を得ることができる。      
【００２０】
ここで、図５におけるＰ部でのフローの一例を図７に示す。即ち、例えばエレベータの運転状態が周知の全自動運転指令中、防犯運転指令中或いは自動休止中（パーキング）の何れか一つにでも該当すれば、図５に示すフローに移行するが、何れにも該当しなければ本発明にかかる連動運転動作は終了することになる。又、かご内における空気中の浮遊細菌の除去性能を評価する方法について説明する。まず、縦２．０ｍ、横２．５ｍ、高さ２．７ｍ（容積１３．５ｍ3）の対象区域に空気清浄機を設置し、予め培地上で培養した一般生菌と真菌を容器内に散布する。そして、イオン発生装置と空気清浄機の運転を開始し、所定の時間の経過ごとに浮遊細菌の濃度を測定する。一般生菌と真菌の濃度はドイツBiotest社製ＲＣＳエアサンプラーにより４０Ｌ／ｍｉｎの流量で４分間採取して測定する。その結果空気清浄機の運転を開始してから３時間後に一般生菌の８３％、真菌の８８％とを除去することができる。エレベータのかご内の浮遊細菌の除去性能を評価は、先に述べた対象区域の大きさより小さいので、運転時間による変化は、約１時間でかご内の菌含有量を９０％減少させられることが推定される。したがって、客先仕様により前記ステップ４及びステップ５における一定時間の設定を変えることも可能である。例えば、菌含有量を５０％程度まで減らせばよいという仕様であれば３０分を一定時間とする等である。
【００２１】
以上の運転方法により、除菌効果及び換気効果を確保すると同時に適切に運転及び停止の切換えを行うことにより省エネの効果を得ることもできる。
【００２２】
なお、図５において、Ｂ部を図８に示すフローにすることも可能である。ステップ１で乗客がいないと判断されたときに、先ずステップ６で図１０に示すように、例えば、かご内に設置されたイオン検出器１２の検出値が所定値以上かどうかを判断し、所定値以上であれば運転モード２とし所定値未満であれば運転モード１とする方法である。この方法によれば、実際のかご内イオン含有量によって運転方法を切り換えることができるので、さらに換気効果及び除菌効果を確保しつつ省エネ効果を見込むことができる。
また別の実施形態としては、かご内に設置されたイオン検出器１２の検出値が所定値以上かどうかを判断し、所定値未満であればイオン発生装置に印加する電圧をアップしてプラスイオンとマイナスイオンのイオン量を増加させる運転モードに切り換えることができるので、さらに除菌効果を見込むことができる。
【００２３】
以上のようにすれば、乗客に不快な思いを抱かせることなく、常にイオン発生装置と換気装置とが連動で働くことになり、除菌効果を大幅に向上させることができると同時に乗客がいないときの適切な運転切換えにより省エネ効果を得ることもできる。また、換気装置７に代えて空調装置を用いて同様の作用・効果を得ることも可能である。
【００２４】
尚、かご内のイオン含有量の検出方法に関しては、図１０に示すように、例えば高さの異なる平面を４つ、一平面に９つの地点を定め、この地点でのイオン濃度測定を行い、マイナスイオン・プラスイオン各々が所定個／ＣＣ以上存在すれば良好な状態と判断する方法も考えられる。
【実施例２】
【００２５】
図１１はエレベータかごの天井の構造に応じて、換気ダクトにイオン発生装置１０′を設けた例を示しており、このようにイオン発生装置１０の配置については種々のタイプが考えられる。
【産業上の利用可能性】
【００２６】
以上の説明では、イオン発生装置を例にあげて述べているが、別の装置であってもよく、実施例に限定されないことは言うまでもないことである。
【図面の簡単な説明】
【００２７】
【図１】本発明の一実施例を示す全体構成斜視図である。
【図２】図１のＡ−Ａ矢視図である。
【図３】イオン発生装置のイオン発生素子の取付側から見た外観斜視図である。
【図４】図３の拡大断面図である。
【図５】本発明に係る装置の基本的な動作を示すフローチャート図である。
【図６】図５における運転モードの区分を表で示した図である。
【図７】図５におけるＰ部の動作フローを示した図である。
【図８】イオン検出器による運転モードを示すフローチャート図である。
【図９】従来の換気装置を示す全体構成図である。
【図１０】かご内にイオン含有量測定装置を設置する実施例を示す図である。
【図１１】本発明のその他の実施例を示す図である。
【符号の説明】
【００２８】
１ エレベータかご
３ 温度検出装置
４，荷重検出装置
７ 換気装置
１０，１０’ イオン発生装置
１０ａ 除菌イオン
１１ 乗客検出装置
１２ イオン量検出器
１８ ケース
１９ 蓋板
２０ イオン発生素子
２１ａ 平板上の上部誘電体
２１ｂ 平板上の下部誘電体
２２ 表面電極
２３ 表面電極接点
２４ 内部電極
２５ 内部電極接点
【図１】
2005089171.tif 000003
【図２】
2005089171.tif 000004
【図３】
2005089171.tif 000005
【図４】
2005089171.tif 000006
【図５】
2005089171.tif 000007
【図６】
2005089171.tif 000008
【図７】
2005089171.tif 000009
【図８】
2005089171.tif 000010
【図９】
2005089171.tif 000011
【図１０】
2005089171.tif 000012
【図１１】
2005089171.tif 000013